(57)【要約】      （修正有）【課題】介在物のどの位置からでも取付対象物に取り付けられるような連結具を提供する。【解決手段】介在物３の貫通孔を挿通して固定する連結具であって、表側部材４と裏側部材５からなる。表側部材は表面６と、この表面部から後方に突出する第１係合部７からなる。第１係合部は、基部７１と、この基部の先端に設けた回動部７２からなる。回動部７２は、長孔７８を有すると共に基部７１の先端を中心として回動可能である。裏側部材は、前方の第２係合部と、後方のテープ接合部５２からなる。前記第２係合部は、第１係合部と係合する係合孔５３を有する。【選択図】図５
2010042092.tif 000002
【特許請求の範囲】
【請求項１】
介在物（３）の貫通孔（３１）を挿通して固定する連結具（１）であって、表側部材（４）と裏側部材（５）からなり、
前記表側部材（４）は表面部（６）と、この表面部（６）から後方に突出する第１係合部（７）からなり、
前記第１係合部（７）は、基部（７１）と、この基部（７１）の先端に設けた回動部（７２）からなり、
前記回動部（７２）は、長孔（７８）を有すると共に前記基部（７１）の先端を中心として回動可能であり、
前記裏側部材（５）は、第２係合部（５１）を有し、
前記第２係合部（５１）は、前記第１係合部（７）と係合する係合孔（５３）を有することを特徴とする連結具。
【請求項２】
前記表側部材（４）の前記表面部（６）が装飾面である請求項１記載の連結具。
【請求項３】
前記基部（７１）先端はＵ字型の溝（７４）を有し、前記溝（７４）の壁同士の間をピン（７５）でつないでおり、前記回動部（７２）は、前記Ｕ字型溝（７４）にはまる厚みを有すると共に、前記ピン（７５）を中心として回動可能である楕円板である請求項１又は２記載の連結具。
【請求項４】
前記基部（７１）は、弾性体（７３）を内蔵しており、この弾性体（７３）の先端（７６）は、前記表面部（６）と反対側に付勢されると共に、前記溝（７４）の壁の抜け止め（７７）により移動量が制約されている請求項３に記載の連結具。
【請求項５】
前記回動部７２の側部に、前記弾性体（７３）の先端（７６）と係合可能なくぼみ（７９）が設けられている請求項４記載の連結具。
【請求項６】
前記回動部材（７２）は、前記介在物（３）に対して垂直な位置から平行位置に回動し、その後、前記長孔（７８）に沿って上下動が可能である請求項１ないし５のいずれかに記載の連結具。
【請求項７】
前記裏側部材（５）は、前方の前記第２係合部（５１）と、後方のテープ接合部（５２）からなる請求項１ないし６のいずれかに記載の連結具。
【発明の詳細な説明】
【技術分野】
【０００１】
本発明は、連結具に関する。この連結具は、ベルトやテープ類等の介在物を取付対象物に着脱自在に取り付けるときに用いることができ、例えば、衣服、カバンなど、幅広い分野で使用可能である。
【背景技術】
【０００２】
例えば、肩掛けベルトと取っ手の双方を有するカバンにおいて、肩掛けベルトを使用しないときには取り外す必要がある。また、カバンの取っ手のみを取り外して別の取っ手に交換したいという場合もある。そのようなとき、ベルトや取っ手をカバンに着脱自在に取り付けるには、一対の雌雄部材からなる差し込み式バックルを使用することが多い（例えば、下記特許文献１参照）。
【特許文献１】特開２００３−３２０
【発明の開示】
【発明が解決しようとする課題】
【０００３】
上記従来技術では、雌雄のバックル部材はそれぞれベルトの末端に位置して、ベルト末端同士を結合する。通常の場合、それで何も問題はないが、例えば、ベルトの中間部で取付対象物に取り付けられれば、意外性のある製品が得られる。
【０００４】
本発明は、ベルトやテープ類等の介在物のどの位置からでも取付対象物に取り付けられるような連結具を提供することを目的とする。
【課題を解決するための手段】
【０００５】
本発明の連結具は、介在物の貫通孔を挿通して固定する連結具であって、表側部材と裏側部材からなり、前記表側部材は表面部と、この表面部から後方に突出する第１係合部からなり、前記第１係合部は、基部と、この基部の先端に設けた回動部からなり、前記回動部は、長孔を有すると共に前記基部の先端を中心として回動可能であり、前記裏側部材は、第２係合部を有し、前記第２係合部は、前記第１係合部と係合する係合孔を有することを特徴とする。
【発明の効果】
【０００６】
従来の連結具は、ベルトなどの介在物の末端に取り付けていたが、本発明の連結具によれば、介在物の貫通孔を挿通して固定するので、どの位置にでも取り付けることができる。これにより、連結具としての適用範囲が著しく拡大された。
【０００７】
また、連結方法も介在物の貫通孔を挿通して一対の表裏部材を固定させるだけであって、特別な器具は不要であり、先鋭な突起物や針などを使用しなくてもよいので安全である。
【０００８】
本発明の付随的な効果として、必要に応じて装飾機能を持たせることができることが挙げられる。
【発明を実施するための最良の形態】
【０００９】
前記介在物は、下記実施例ではベルトやテープを例示しているが、その他一般の衣服やカバンに対する装飾物の取り付けにも利用することができる。
【００１０】
そのため、前記表側部材の前記表面部は装飾面とすることが好ましい。これにより見栄えをよくすることができるので、衣服の目立つ位置にも取り付けることができる。例えば、袖のカフスボタン、折り襟のバッジ、バッグ表面の商標や標示物の取付けなどに利用することができる。
【００１１】
回動部の回動機構としては、例えば、前記基部先端がＵ字型の溝を有し、前記溝の壁同士の間がピンでつながれており、前記回動部が、前記Ｕ字型溝にはまる厚みを有すると共に、前記ピンを中心として回動可能なものとすることができる。
【００１２】
好ましくは、前記基部が、弾性体を内蔵しており、この弾性体の先端が、前記表面部と反対側に付勢されると共に、前記溝の壁の抜け止めにより移動量が制約されているものとする。弾性体としては、例えばばねを使用することができる。
【００１３】
前記回動部の側部に、前記弾性体の先端と係合可能なくぼみを設けてもよい。両者の係合により、回動位置を固定することができるからである。
【００１４】
前記回動部材は、例えば、前記介在物に対して垂直な位置から平行位置に回動し、その後、前記長孔に沿って上下動するものとすることができる。
【００１５】
前記裏側部材は、前記第２係合部の後方にテープ接合部を設けることで、ベルトやテープ類への接合が容易となる。
【実施例１】
【００１６】
以下、添付の図面に基づき、本発明の実施例を説明する。
【００１７】
図１は、本発明の１実施例である連結具１を使用した手提げバッグ２の斜視図である。図２は、図１における連結具１の拡大斜視図である。これらの図から明らかなように、この連結具１は、ベルト３を挟む、表側部材４と裏側部材５の２部品からなる。
【００１８】
図３は、表側部材の（ａ）正面図、（ｂ）背面図、（ｃ）側面図、（ｄ）平面図、（ｅ）横断面図である。
【００１９】
表側部材４は、表面装飾部６と、この表面装飾部６から後方に突出する第１係合部７からなる。
【００２０】
表面装飾部６は、ストッパーの役割を果たす平面板であるが、外部に現れるので、装飾されていることが好ましい。
【００２１】
第１係合部７は、基部７１と、基部の先端に設けた回動部７２からなる。
【００２２】
図３（ｅ）に示すように、基部７１は、内部が中空であり、中空部に圧縮ばね７３を内蔵している。基部７１の先端はＵ字型の溝７４を有し、この溝壁同士の間をピン７５でつないでいる。ばね７３の先端７６は、結合方向に付勢されているが、溝壁の抜け止め７７により移動量が制約されている。
【００２３】
回動部７２は、楕円板であり、前記Ｕ字型溝にはまる厚みを有すると共に、中央に長孔７８が設けられている。長孔７８には前記ピン７５が挿通されていて、後述するように、このピン７５を中心として回動可能である。回動部７２は、前記ばね７３の力を受けて結合方向に付勢されている。また、回動部７２の楕円板の側部には、後記する目的で、図３（ｃ）に示すように、小さなくぼみ７９が設けられている。
【００２４】
図４は、裏側部材５の（ａ）正面図、（ｂ）背面図、（ｃ）右側面図、（ｄ）左側面図、（ｅ）底面図、（ｆ）Ｘ−Ｘ断面図、（ｇ）Ｙ−Ｙ断面図である。
【００２５】
裏側部材５は、前半分の第２係合部５１と、後半分のテープ接合部５２からなる。
【００２６】
第２係合部５１は、単に係合孔５３を設けているだけの平板である。全体は、ほぼ三角形状であるが、これはデザイン上のもので技術的な意味はない。
【００２７】
テープ接合部５２は、別の特許出願の対象となっているもので、ここでは詳細に触れない。要するに、図２に示すように、このテープ接合部５２にテープ８の先端が固定されているのである。
【００２８】
ベルト３を挟んで、表側部材４と裏側部材５を接続する前に、図２に示すように、予めベルト３に貫通孔３１を設けておく必要がある。この貫通孔３１は表側部材４の係合部７の通過を許容するが、表面装飾部６の通過は許容しない大きさである。
【００２９】
表側部材４と裏側部材５を接続するには、図２に示すように、表側部材４の係合部７をベルトの貫通孔３１に挿通し、さらに、裏側部材５の係合孔５３を通過させる。その状態が図５の（ａ）でもある。
【００３０】
続いて、係合部７の回動部材７２を回動させ（図５（ｂ））、回動部材７２をベルト３と平行にする（図５（ｃ））。その後、回動部材７２を押し下げると、長孔７８が下降してピン７５が相対的に上昇する。このとき、回動部材７２のくぼみ７９とばね先端７６が係合するので、その位置で安定する。この状態でロックが完成し、手提げバッグ２のテープ８とベルト３が連結されたことになる。ロックを解除するには、上記と逆の手順による。
【図面の簡単な説明】
【００３１】
【図１】本発明の１実施例である連結具を使用した手提げバッグの斜視図である。
【図２】図１における連結具の拡大斜視図である。
【図３】表側部材の（１）正面図、（２）背面図、（３）側面図、（４）平面図、（５）横断面図である。
【図４】裏側部材の（ａ）正面図、（ｂ）背面図、（ｃ）右側面図、（ｄ）左側面図、（ｅ）底面図、（ｆ）Ｘ−Ｘ断面図、（ｇ）Ｙ−Ｙ断面図である。
【図５】（ａ）−（ｄ）は、表裏部材の連結方法の各段階を示す断面図である。
【符号の説明】
【００３２】
１     連結具
２     バッグ
３     ベルト
３１   貫通孔
４     表側部材
５     裏側部材
５１   係合部
５２   テープ接合部
５３   係合孔
６     表面装飾部
７     係合部
７１   基部
７２   回動部材
７４   Ｕ字状溝
７５   ピン
７６   先端
７８   長孔
８     テープ
【図１】
2010042092.tif 000003
【図２】
2010042092.tif 000004
【図３】
2010042092.tif 000005
【図４】
2010042092.tif 000006
【図５】
2010042092.tif 000007